(57)【要約】【課題】  整体やマッサージには、熟練した技能が必要であり、素人が無理に行うと却って危険がある。また、整体やマッサージは、専門の整体師やマッサージ師が行う必要があり、時間や手間を要し、コスト高にもなる。【解決手段】  本発明の身体矯正装置は、使用者を仰臥させる台と、台を傾斜させる傾斜機構と、台を水平或は傾斜の状態で水平回転させる回転機構を備え、前記台には使用者の胴、脚といった身体の一部を台に固定する固定具を備えたものである。また、台に仰臥した使用者の足首、膝、太ももといった脚の一部を保持する脚保持具と、脚保持具を往復牽引することによりその脚保持具で保持された脚を往復牽引する往復駆動機構を備えることもできる。更に、台に仰臥した使用者の顎を保持する顎保持具をも備えることもできる。【選択図】図１
2006346165.tif 000002
【特許請求の範囲】
【請求項１】
使用者を仰臥させる台と、台を傾斜させる傾斜機構と、台を水平或は傾斜の状態で水平回転させる回転機構を備え、前記台には使用者の胴、脚といった身体の一部を台に固定する固定具が備えられたことを特徴とする身体矯正装置。
【請求項２】
請求項１記載の身体矯正装置において、台に仰臥した使用者の足首、膝、太ももといった脚の一部を保持する脚保持具と、脚保持具を往復牽引することによりその脚保持具で保持された脚を往復牽引する往復駆動機構を備えたことを特徴とする身体矯正装置。
【請求項３】
請求項１又は請求項２記載の身体矯正装置において、台に仰臥した使用者の顎を保持する顎保持具をも備えたことを特徴とする身体矯正装置。
【発明の詳細な説明】
【技術分野】
【０００１】
本発明は身体の捩れや歪みを矯正して身体のバランスを整え、身体の血流を良くして健康の維持、増進に役立てることができる身体矯正装置に関する。
【背景技術】
【０００２】
従来、身体の捩れや歪みを矯正する方法として、整体（カイロプラクティック）やマッサージ等がある。整体やマッサージによる身体の捩れや歪みの矯正は、接骨院やマッサージ室等へ行って、専門の整体師やマッサージ師等から、直接身体をもむ、ほぐす、押す、引っ張る、叩く等の施術を受けることによって行うものである。
【発明の開示】
【発明が解決しようとする課題】
【０００３】
しかし、整体やマッサージによる身体の捩れや歪みの矯正には、次のような課題がある。
（１）整体やマッサージには、資格や熟練した技能が必要であり、素人が身体を無理に矯正しようとすると却って身体を損傷するおそれがある。そのため、整体やマッサージを受けるためには一々接骨院やマッサージのお店へ行き、専門の整体師やマッサージ師に施術を施してもらわなければならない。この場合、予約をしたり、通院したりしなければならず面倒であり、時間に余裕のない場合は整体やマッサージをなかなか受けにくい。
（２）整体やマッサージは、専門の整体師やマッサージ師が行うため、一回の施術費用が高い。
【課題を解決するための手段】
【０００４】
本発明の身体矯正装置は、熟練した技能を必要とせず、何時でも、誰でも簡易且つ安価に身体の捩れや歪みを矯正し、身体のバランスを整え、身体の血流を良くして健康の維持、増進に役立てることができるものである。
【０００５】
本願の請求項１の身体矯正装置は、使用者を仰臥させる台と、台を傾斜させる傾斜機構と、台を水平或は傾斜の状態で水平回転させる回転機構を備え、前記台には使用者の胴、脚といった身体の一部を台に固定する固定具を備えたものである。
【０００６】
本願の請求項２の身体矯正装置は、請求項１記載の身体矯正装置において、台に仰臥した使用者の足首、膝、太ももといった脚の一部を保持する脚保持具と、脚保持具を往復牽引することによりその脚保持具で保持された脚を往復牽引する往復駆動機構を備えたものである。
【０００７】
本願の請求項３の身体矯正装置は、請求項１又は請求項２記載の身体矯正装置において、台に仰臥した使用者の顎を保持する顎保持具をも備えたものである。
【発明の効果】
【０００８】
本件出願の請求項１の身体矯正装置は次のような効果がある。
（１）使用者が台に仰臥した状態で、台を傾斜させたり、台を水平又は傾斜した状態で回転させたりすることにより、身体を頭の先から足先まで真っ直ぐにすることができるため、身体の捩れや歪みが矯正されて身体のバランスが良くなる。また、身体の血流も良くなって健康の維持や増進に役立てることができる。
（２）身体が固定具によって台に固定されるので、台を傾けたり回転させたりしても身体が台から落下する心配がなく、使用者がリラックスした状態で矯正を受けることができる。
（３）使用者は台に仰臥するだけであるため、身体に無理がかからず、自然な状態で使用できる。
（４）整体やマッサージについての専門的な知識や熟練技能も必要なく、いつでも誰でも簡易に身体の捩れや歪みを矯正することができる。
（５）自宅や職場に備えておけば、接骨院やマッサージ店に行く場合のように、予約をしたり、通院したりする面倒がなく、使用者の都合のよいときに使用できるので便利である。また、費用もかからず、毎日継続して使用できるため効果的である。
【０００９】
本件出願の請求項２の身体矯正装置は脚保持具と、それを往復牽引する往復駆動機構を備えるので、上記各効果に加えて、次のような効果もある。
（１）脚保持具で足首、膝、太もも等を保持し、その脚保持具を往復駆動機構で往復牽引すれば、膝や脚の付け根の関節を真っ直ぐ伸ばすことができ、身体の捩れや歪みを矯正できる。また、身長を伸ばすこともできる。
【００１０】
本件出願の請求項３の身体矯正装置は、台に仰臥した使用者の顎を保持する顎保持具をも備えているので、上記各効果に加えて、次のような効果もある。
（１）前記脚保持具で足首、膝、太もも等を保持し、その脚保持具を往復駆動機構で往復牽引するときに、顎保持具で台の上の人の顎を保持すれば、頭から脚まで真っ直ぐ伸ばすことができ、身体の捩れや歪みの矯正効果が高い。
【発明を実施するための最良の形態】
【００１１】
（実施形態１）
本発明の身体矯正装置の実施形態の一例を図１〜図７に基づいて説明する。本実施形態の身体矯正装置１は、図１に示すように、使用者２が仰臥できる台３と、台３を支持するフレーム４と、フレーム４に備えられ、台３を傾斜させる傾斜機構５と、台３の裏側に備えられ、台３を水平或は傾斜の状態で水平回転させる回転機構６とを備えるものである。前記台３には、台３上に仰臥した使用者２を台３に固定することができる各種固定具３０〜３７や、使用者２の足首を往復牽引することができる往復駆動機構７も備えられている。また、フレーム４には制御盤８が設けられ、前記傾斜機構５、回転機構６、往復駆動機構７の動作を制御できるようにしてある。制御盤８には、傾斜機構５、回転機構６、往復駆動機構７の動作を実際に操作できる操作盤９が備えられている。
【００１２】
前記台３は、図１、図２に示すように、前記フレーム４の上に設けられた、使用者２が一名仰臥可能な大きさに形成された板状部材である。台３の大きさは、使用者２が一名仰臥可能な大きさであれば任意の大きさとすることができ、例えば、図３に示すように、縦（Ｌ）×横（Ｗ）を、２４００ｍｍ×１２００ｍｍとすることができる。台３は、最大２００ｋｇの使用者が仰臥できる強度を備えるものであることが望ましい。台３の四隅は、図に示すように切り欠いておくこともできる。台３には、木製、金属製、樹脂製等、任意の素材製の板材を用いることができ、例えば、表面にメラミン塗装を施したクロス合板等を用いることができる。
【００１３】
前記フレーム４は、図１、図４〜図６に示すように、前記台３の裏側に設けられた枠体であって、本発明の身体矯正装置１の土台である基台１１と、基台１１上に二本立設されたベース枠１２と、ベース枠１２間に備えられた軸１７に回動自在に備えられて台３の裏側に配置される台支持枠１３とを備えてなるものである。
【００１４】
前記基台１１は、金属製の角型パイプ等によって囲い状に形成された枠体であって、本発明の身体矯正装置１の土台となるものである。基台１１の下部には、図１、図４〜図６に示すように、基台１１を前後左右自在に移動させることができる自在キャスター１４が備えられている。また、基台１１の下部には、上下伸縮可能な脚１５も備えられ、脚１５を降ろして接地させ、基台１１を所望の位置で固定することができるようにしてある。脚１５の軸部分をネジが形成されたボルトとし、脚１５の接地部分を樹脂製等として、軸部分を回転させて脚１５を昇降可能とすることもできる。また、基台１１の上面には板を張ることもできる。
【００１５】
前記ベース枠１２は、図１、図４〜図６に示すように、金属製の角型パイプ等によって形成された枠体であって、基台１１上に二本対向させて立設されている部材である。二本の対向するベース枠１２間には、図５に示すように、補強材１６及び軸１７が設けられている。
【００１６】
前記台支持枠１３は、図１、図４〜図６に示すように、金属製の角型パイプ等によってコ字型に形成された枠体であって、ベース枠１２間に備えられた軸１７に回動自在に備えられ、台３の裏面に配置されて台３を支持する部材である。台支持枠１３の形状は、図に示すコ字型には限られず、四方を囲った囲い型等、他の任意の形状とすることもできる。台支持枠１３の上面には板を張ることもできる。
【００１７】
前記傾斜機構５は、図１、図５、図６に示すように、前記フレーム４に設けられた機構であって、台３を傾斜させる機構である。傾斜機構５は、上端を台支持枠１３に、下端を基台１１に夫々固定した伸縮機構１８と、その伸縮機構１８に備えられた駆動源１９とを備えてなるものである。
【００１８】
前記伸縮機構１８は、図１、図５、図６に示すように、ピストンロッド２０とシリンダー２１とを備える油圧シリンダーである。駆動源１９には、油圧シリンダーを作動させる油圧パワーユニットを用いる。油圧シリンダーのピストンロッド２０を伸ばすことによって、台支持枠１３を水平位置より上方に持ち上げ、台３を傾けることができる（図５、図６参照。）。ピストンロッド２０の伸縮を停止させると、傾斜させた位置で台３を停止させることができる。伸縮機構１８には、油圧シリンダーに代えて、エアシリンダーを用いることもできる。その場合、駆動源１９にはエアシリンダーを作動させるコンプレッサーを用いる。台３の傾斜角度は、０〜９０度の間で任意に設定することができ、任意の傾斜角度で停止させることができる。図５に示す台３の傾斜角度は約２０度、図６に示す台３の傾斜角度は約４５度である。また、台３の傾斜速度も任意とすることができ、例えば、台３を水平状態から４５度までの傾斜を１０秒で行うようにすることもできる。
【００１９】
この傾斜機構５による台３の傾斜は、前記回転機構６による台３の水平回転中においても行うことができる。また、前記往復駆動機構７による使用者２の足首の往復牽引中においても行うことができる。
【００２０】
前記回転機構６は、図１、図４〜図６に示すように、台３の裏側に設けられ、台３を水平或は傾斜の状態で水平回転させる機構である。回転機構６は、同図に示すように、台３の水平回転の動力源となる駆動源２２と、駆動源２２に取付けられた駆動ギア２３と、リング状の本体の内周面に形成されたギアと前記駆動ギア２３とが咬合する旋回輪２４と、その旋回輪２４が下面に取付けられ、台３の裏面が上面に取付けられたターンテーブル２５と、前記旋回輪２４を回動自在に収容する旋回輪軸受２６とを備えてなるものである。
【００２１】
駆動源２２は、台３の水平回転の動力源であって、図１、図４〜図６に示すように、台支持枠１３に取付けられたモーターである。駆動源２２には、駆動ギア２３が取付けられている。駆動源２２は、駆動ギア２３を左右両方向に回転させられるようにすることもできる。駆動源２２は、モーターに限らず、油圧パワーユニット等、他の任意の駆動源を用いることもできる。また、駆動源２２の取付け位置も、台支持枠１３に限らず、他の任意の場所に取付けることもできる。図に示す駆動源２２には、駆動ギア２３が取付けられているが、駆動源２２と駆動ギア２３とは、別個に設けることもできる。
【００２２】
旋回輪２４は、図１、図４〜図６に示すように、リング状の本体の内周面にギアが形成されたものである。旋回輪２４の内周面に形成されたギアは、前記駆動ギア２３と咬合し、駆動ギア２３の回転に伴って、旋回輪２４も回転するようにしてある。前記旋回輪２４は、図１、図４〜図６に示すように、台支持枠１３の上面に設けられた筒状の旋回輪軸受２６内に回動自在に収容されている。そのため、駆動源２２を作動させて駆動ギア２３を回転させると、旋回輪軸受２６内で旋回輪２４が回転する。
【００２３】
ターンテーブル２５は、図１、図４〜図６に示すように、円形の板状部材であって、その下面は前記旋回輪２４の上部に取付けられ、その上面は台３の裏面に固定されている。同図に示すように、旋回輪２４と、ターンテーブル２５と、台３とはいずれも平行になるように固定されている。したがって、駆動源２２を作動させて駆動ギア２３を回転させ、旋回輪軸受２６内で旋回輪２４を回転させると、台３を、旋回輪２４の回転に伴って水平回転させることができる（図２、図４参照。）。台３は、例えば、毎分０．５〜１０回転の回転速度で回転させることができる。台３の回転方向は、左右任意の方向とすることができる。
【００２４】
この回転機構６による台３の水平回転は、前記傾斜機構５によって台３を傾斜させた後又は傾斜中においても行うことができる。また、前記往復駆動機構７による使用者２の足首の往復牽引中においても行うことができる。
【００２５】
前記台３上には、図２、図３に示すように、台３上に仰臥した使用者２を台３に固定することができる各種固定具３０〜３７が備えられている。本実施形態では、図２、図３に示すように、固定具として枕３０、足置き３１、脇クッション３２、胴固定ベルト３３、膝固定ベルト３４、顎保持具３５、肩固定具３６、把持部３７が設けられている。固定具は、上記したものには限られず、使用者２の身体の一部又は全部を台３に固定することができれば、他の任意の固定具を用いることもできる。また、上記した固定具のうち一又は二以上を任意に省略することもできる。
【００２６】
枕３０は、台３上に面テープ等によって脱着自在に直接取付けられ、使用者２の頭部を支持し、位置決めするものである。枕３０には、使用者２が頭を台３に強く打ち付けたり、強くこすったりしないように保護する役割もある。枕３０には、使用者２の頭部を支持できるものであれば任意のものを用いることができるが、緩衝性のあるものを用いることが望ましい。また、枕３０は、中央部分を凹ませ、使用者２の頭部を支持し易くしておくこともできる。
【００２７】
足置き３１は、台３上に面テープ等によって脱着自在に直接取付けられ、使用者の踵及び足首を支持し、位置決めするものである。足置き３１には、使用者２が踵やふくらはぎを台３に強く打ちつけたり、強くこすったりしないように保護する役割もある。足置き３１には、使用者２の踵及び足首を支持できるものであれば任意のものを用いることができるが、緩衝性のあるものを用いることが望ましい。また、足置き３１は、踵の位置する部分を凹ませ、使用者２の踵を支持し易くしておくこともできる。
【００２８】
脇クッション３２は、台３上に面テープ等によって左右一つずつ脱着自在に取付けられ、使用者の胴体を支持し、位置決めするものである。脇クッション３２には、使用者の胴体を回転時や傾斜時の衝撃から保護する役割もある。脇クッション３２にも、使用者２の胴体２を支持できるものであれば任意のものを用いることができるが、緩衝性のあるものを用いることが望ましい。
【００２９】
胴固定ベルト３３は、台３上に取付けられた左右二本で一対のベルト状の部材であって、台３上に仰臥した使用者２の胴体に巻付けて使用者２の胴体を台３上に固定するものである。一対の胴固定ベルト３３の端部には、図３に示すように互いに貼り合わせ可能な面テープ３８が備えられ、胴固定ベルト３３を所望の巻付け長に調節して固定できるようにしてある。胴固定ベルト３３は、図２に示すように、前記脇クッション３２ごと使用者２の胴体に巻付けて固定することができる。左右の胴固定ベルト３３同士の固定は、図に示す面テープ３８による固定には限られず、固定用のバックル、ボタン、留め金等、胴固定ベルト３３を胴体に巻付けて装着離脱可能に固定できるものであれば、任意の固定方法を用いることができる。胴固定ベルト３３は、布、革、樹脂等、任意の素材で形成することができるが、胴固定ベルト３３の胴体巻付け面には、滑りにくい素材を使用して、胴体に巻付けた際にずれにくくしておくことが望ましい。
【００３０】
膝固定ベルト３４は、左右二本で一対のベルト状部材であって、台３上に仰臥した使用者２の膝下に巻付けて使用者２の膝を台３上に固定するものである。膝固定ベルト３４は、台３上に二対設けられ、使用者２の両膝を台３上に固定することができるようにしてある。一対の膝固定ベルト３４の端部にも、図３に示すように互いに貼り合わせ可能な面テープ３９が備えられ、膝固定ベルト３４を所望の巻付け長に調節して固定できるようにしてある。左右の膝固定ベルト３４同士の固定は、面テープ３９による固定には限られず、固定用のバックル、ボタン、留め金等、膝固定ベルト３４を膝下に巻付けて装着離脱可能に固定できるものであれば、任意の固定方法を用いることができる。膝固定ベルト３４は、布、革、樹脂等、任意の素材で形成することができるが、膝固定ベルト３４の膝下巻付け面には、滑りにくい素材を使用して、膝下に巻付けた際にずれにくくしておくことが望ましい。
【００３１】
顎保持具３５は、台３の端部に設けられた取付枠４０に取付けられ、台３上に仰臥した使用者２の顎部を保持し、位置決めするものである。顎保持具３５は、図２、図３に示すように、顎当て部４１と紐部４２とからなる。顎保持具３５は、紐部４２を取付枠４０に固定し、顎当て部４１を使用者２の顎に当てて、顎を支持する。顎保持具３５も、紐部４２の長さを調節したり、顎当て部４１の顎当て長を調節したりすることもできる。紐部４２には、伸縮性のない紐とすることもできるが、ゴムやバネ等のように伸縮性のあるものを用いることもできる。また、顎当て部４１も、布、革、樹脂等、任意の素材で形成することができる。
【００３２】
肩固定具３６は、台３の端部に設けられた取付枠４０に取付けられ、台３上に仰臥した使用者２の両肩を支持し、位置決めするものである。肩固定具３６は、図２、図３に示すように、肩当て部４３と紐部４４とからなる。肩固定具３６は、紐部４４を取付枠４０に固定し、肩当て部４３を、背中から両脇の下を通して両肩の上に出して、両肩を支持する。肩当て部４３は、図３に示すように、背中に当たる部分を細く、両肩に当たる部分を太く形成してある。肩固定具３６も、紐部４４の長さを調節したり、肩当て部４３の形状を変えたりすることもできる。紐部４４には、伸縮性のない紐とすることもできるが、ゴムやバネ等のように伸縮性のあるものを用いることもできる。また、肩当て部４３も、布、革、樹脂等、任意の素材で形成することができる。
【００３３】
把持部３７は、台３に設けられ、台３に仰臥した使用者２が、手で把持することができる手すり（取っ手）状の部材である。把持部３７の形状は、図２、図３に示すものには限られず、任意の形状とすることができる。また、把持部３７は、木製、金属製、樹脂製等、任意の素材製とすることができる。
【００３４】
その他にも、図２、図３に示す膝固定ベルト３４に代えて、図７に示すように、膝下に帯状部材６０を巻き、その帯状部材６０をスプリング６１で上方に引っ張るようにして膝を固定するようにしたり、図２、図３の手すり状の把持具３７に代えて、図７に示すように棒状の把持具３７を設けて使用者２が把持できるようにしたりすることもできる。固定具は、上記したものには限られず、使用者２を台３上に固定可能であれば任意のものを用いることができる。
【００３５】
前記往復駆動機構７は、台３の足元側に備えられ、台３上に仰臥した使用者２の足首を往復牽引させる機構である。往復駆動機構７は、図１、図２に示すように、台３に取付けられた設置台４５上に二本の伸縮機構４６が設けられてなるものである。
【００３６】
前記設置台４５は、台３の足元側に取付けられた枠状の部材であって、図１、図２に示すように、伸縮機構４６を二本設置可能なものである。設置台４５には、使用者２の足首の位置に合わせて伸縮機構４６の取付け位置を調節可能な長穴等を形成することもできる。また、設置台４５を省略して、伸縮機構４６を直接台３上に設けることもできる。その場合は、台３上に、使用者２の足首の位置に合わせて伸縮機構４６の取付け位置を調節可能な長穴等を形成することもできる。
【００３７】
前記伸縮機構４６は、図１、図２に示すように、ピストンロッド４７とシリンダー４８とを備えるエアシリンダーである。エアシリンダーの駆動源には、コンプレッサー（図示しない）を用いる。その場合、ピストンロッド４７の先に脚保持具４９を取付け、その脚保持具４９を使用者２の足首に取付けて足首を保持し、エアシリンダーのピストンロッド４７を連続して伸縮させて、脚保持具４９を往復牽引することにより、その脚保持具４９で保持された使用者２の足首を往復牽引させることができる。本実施形態の場合、膝固定ベルト３４で使用者２の膝を固定しているので、膝の関節や足首の間接を中心に、足に効果的な伸縮運動を与えることができる。前記脚保持具４９は、足首の他にも、膝、太ももといった脚の一部を保持することができる。伸縮機構４６には、エアシリンダーの他に油圧シリンダーを用いることもできる。また、それ以外にも往復運動が可能な機構であれば、任意のものを用いることができる。
【００３８】
往復駆動機構７による使用者２の足首の往復牽引は、操作によって任意のタイミングで行うことも、所定の間隔毎に自動的に行うこともできる。往復駆動機構７は、図に示すような足首のみの往復牽引には限られず、膝、太もも、腕、腰等、身体の任意の部位を牽引できるようにすることもできる。
【００３９】
この往復駆動機構７による使用者２の足首の往復牽引は、前記傾斜機構５によって台３を傾斜させた後又は傾斜中においても行うことができる。また、前記回転機構６による台３の水平回転中においても行うことができる。
【００４０】
前記制御盤８は、前記傾斜機構５、回転機構６、往復駆動機構７の動作を制御するものであって、図１に示すように、フレーム４の基台１１上に設けられている。制御盤８は、回転機構６を制御して、台３の回転速度を変化させたり、台３の回転方向を変化させたりすることができる。また、傾斜機構５を制御して、台３の傾斜角度を設定・変更させたりすることもできる。往復駆動機構７を制御して、伸縮機構４６を伸縮させたりすることもできる。また、制御盤８は、１分〜３０分の間で、本発明の身体矯正装置１の自動運転時間を設定したりすることもできる。制御盤８の設置位置は、図に示す位置には限られず、例えば、フレーム４の外側等、他の任意の設置位置とすることもできる。
【００４１】
前記制御盤８には、図１に示すように、傾斜機構５、回転機構６、往復駆動機構７の動作を実際に操作できる操作盤９が備えられている。本実施形態の操作盤９は、図１に示すように、フレキシブルチューブ５０を介して前記制御盤８に取付けられている。もっとも、フレキシブルチューブ５０を省略して、操作盤９によって制御盤８を遠隔操作可能とすることもできる。操作盤９には、電源ＯＮ／ＯＦＦスイッチ、水平回転速度調整ツマミ、回転速度メーター、水平回転方向決定スイッチ、傾斜角度設定ツマミ、往復駆動機構作動スイッチ、非常停止ボタン、自動運転設定スイッチ、その他任意のスイッチ、ツマミ、メーター等を設けることができる。
【００４２】
また、本発明の身体矯正装置１には、図１、図４〜図６に示すように、フレーム４の基台１１の上方部分を覆うカバー５１が設けられている。カバー５１は、図に示すように蛇腹形状に形成されており、台３の傾斜に合わせて変形するようにしてある（図５、図６参照。）。
【００４３】
（使用例）
本発明の身体矯正装置を用いて、使用者の身体の捩れや歪みをを矯正するには、次のようにする。
（１）図１、図２に示すように使用者２の身体を台３上に仰臥させる。
（２）固定具３０〜３７によって各部を固定し、使用者２の身体を台３上に固定する（図２参照。）。
（３）往復駆動機構７のピストンロッド４７の先に脚保持具４９を取付け、その脚保持具４９を使用者２の足首に取付ける（図２参照。）。
（４）操作盤９を操作して、傾斜機構５を作動させ、台３を所望の傾斜角度まで傾斜させて停止させる（図５、図６参照。）。
（５）更に操作盤９を操作して、回転機構６を作動させ、台３を水平回転させる。
（６）更に操作盤９を操作して、往復駆動機構７を作動させ、使用者２の足首を往復牽引させる。
（７）所望の矯正が終了したら、操作盤９を再度操作して、回転機構６を停止させて台３の水平回転を停止させ、往復駆動機構７を停止させて使用者２の足首の往復牽引運動を停止させる。
（８）操作盤９を操作して、傾斜させた台３を水平位置まで戻す。
（９）台３が水平位置まで戻ったら、脚保持具４９を使用者２の足首から取り外し、脚保持具４９を往復駆動機構７のピストンロッド４７から取り外す。
（１０）各固定具３０〜３７による固定を解除し、使用者２を台３上から降ろす。
【００４４】
前記使用例において、（４）、（５）、（６）の工程は、任意の順番で行うことができる。また、（４）、（５）、（６）の工程のうち、一つ又は二つの工程を省略することもできる。また、操作盤９による操作は、使用者が自ら行うことも、他に操作者を用意してその操作者に操作させることもできる。また、予め身体矯正装置１が行う動作を設定しておき、（４）〜（８）の工程を自動で行うことができるようにしておくことも可能である。
【００４５】
（その他の実施形態）
前記実施形態に示す本発明の身体矯正装置はあくまで一例であって、各部材、機構の形状、構造、大きさ、数量等は、前記のものには限られず、任意とすることができる。従って、例えば、往復駆動機構を二以上備えて、両手両足を一度に往復牽引させることも可能である。
【００４６】
本発明の身体矯正装置においては、回転機構、傾斜機構、往復駆動機構のうち、一つ又は二つを省略することもできる。従って、例えば、往復駆動機構を省略し、台の傾斜及び回転のみを行うことができる身体矯正装置とすることもできる。
【産業上の利用可能性】
【００４７】
本発明の身体矯正装置は、身体の捩れや歪みの矯正用の装置には限られず、医科歯科治療用の寝台等、人間を仰臥させて使用する装置にも広く応用することができる。
【図面の簡単な説明】
【００４８】
【図１】本発明の身体矯正装置の実施形態の一例を示す正面図。
【図２】図１に示す身体矯正装置の平面図。
【図３】図１に示す身体矯正装置の未使用状態の平面図。
【図４】図１に示す身体矯正装置の右側面図。
【図５】図１に示す身体矯正装置の台を傾斜（傾斜角度約２０度）させた様子を示す正面図。
【図６】図１に示す身体矯正装置の台を傾斜（傾斜角度約４５度）させた様子を示す正面図。
【図７】本発明の身体矯正装置の固定具の他の一例を示す平面図。
【符号の説明】
【００４９】
１  身体矯正装置
２  使用者
３  台
４  フレーム
５  傾斜機構
６  回転機構
７  往復駆動機構
８  制御盤
９  操作盤
１１  基台
１２  ベース枠
１３  台支持枠
１７  軸
１８  伸縮機構（傾斜機構）
２４  旋回輪
２５  ターンテーブル
２６  旋回輪軸受
３０〜３７  固定具
４６  伸縮機構（往復駆動機構）
４９  脚保持具
【図１】
2006346165.tif 000003
【図２】
2006346165.tif 000004
【図３】
2006346165.tif 000005
【図４】
2006346165.tif 000006
【図５】
2006346165.tif 000007
【図６】
2006346165.tif 000008
【図７】
2006346165.tif 000009
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
使用者が仰臥できる台と、台を傾斜させる傾斜機構と、台を水平或は傾斜の状態で回転させる回転機構を備え、前記台には使用者の胴、脚といった身体の一部を台に固定できる固定具が備えられ、前記回転機構は台の裏側であって台の上面に仰臥する使用者の下になる位置に設けられたことを特徴とする身体矯正装置。
【請求項２】
請求項１記載の身体矯正装置において、台に仰臥した使用者の足首、膝、太ももといった脚の一部を保持できる脚保持具と、脚保持具で保持される脚を牽引可能な牽引駆動機構を備えたことを特徴とする身体矯正装置。
【請求項３】
請求項１又は請求項２記載の身体矯正装置において、台に仰臥した使用者の顎を保持できる顎保持具をも備えたことを特徴とする身体矯正装置。
【手続補正２】
【補正対象書類名】明細書
【補正対象項目名】全文
【補正方法】変更
【補正の内容】
【発明の詳細な説明】
【技術分野】
【０００１】
本発明は身体の捩れや歪みを矯正して身体のバランスを整え、身体の血流を良くして健康の維持、増進に役立てることができる身体矯正装置に関する。
【背景技術】
【０００２】
従来、身体の捩れや歪みを矯正する方法として、整体（カイロプラクティック）やマッサージ等がある。整体やマッサージによる身体の捩れや歪みの矯正は、接骨院やマッサージ室等へ行って、専門の整体師やマッサージ師等から、直接身体をもむ、ほぐす、押す、引っ張る、叩く等の施術を受けることによって行うものである。
【発明の開示】
【発明が解決しようとする課題】
【０００３】
しかし、整体やマッサージによる身体の捩れや歪みの矯正には、次のような課題がある。
（１）整体やマッサージには、資格や熟練した技能が必要であり、素人が身体を無理に矯正しようとすると却って身体を損傷するおそれがある。そのため、整体やマッサージを受けるためには一々接骨院やマッサージのお店へ行き、専門の整体師やマッサージ師に施術を施してもらわなければならない。この場合、予約をしたり、通院したりしなければならず面倒であり、時間に余裕のない場合は整体やマッサージをなかなか受けにくい。
（２）整体やマッサージは、専門の整体師やマッサージ師が行うため、一回の施術費用が高い。
【課題を解決するための手段】
【０００４】
本発明の身体矯正装置は、熟練した技能を必要とせず、何時でも、誰でも簡易且つ安価に身体の捩れや歪みを矯正し、身体のバランスを整え、身体の血流を良くして健康の維持、増進に役立てることができるものである。
【０００５】
本願の請求項１の身体矯正装置は、使用者が仰臥できる台と、台を傾斜させる傾斜機構と、台を水平或は傾斜の状態で回転させる回転機構を備え、前記台には使用者の胴、脚といった身体の一部を台に固定できる固定具を備え、前記回転機構を台の裏側であって台の上面に仰臥する使用者の下になる位置に設けたものである。
【０００６】
本願の請求項２の身体矯正装置は、請求項１記載の身体矯正装置において、台に仰臥した使用者の足首、膝、太ももといった脚の一部を保持できる脚保持具と、脚保持具で保持される脚を牽引可能な牽引駆動機構を備えたものである。
【０００７】
本願の請求項３の身体矯正装置は、請求項１又は請求項２記載の身体矯正装置において、台に仰臥した使用者の顎を保持できる顎保持具をも備えたものである。
【発明の効果】
【０００８】
本件出願の請求項１の身体矯正装置は次のような効果がある。
（１）使用者が台に仰臥した状態で、台を傾斜させたり、台を水平又は傾斜した状態で回転させたりすることにより、身体を頭の先から足先まで真っ直ぐにすることができるため、身体の捩れや歪みが矯正されて身体のバランスが良くなる。また、身体の血流も良くなって健康の維持や増進に役立てることができる。
（２）身体が固定具によって台に固定されるので、台を傾けたり回転させたりしても身体が台から落下する心配がなく、使用者がリラックスした状態で矯正を受けることができる。
（３）使用者は台に仰臥するだけであるため、身体に無理がかからず、自然な状態で使用できる。
（４）整体やマッサージについての専門的な知識や熟練技能も必要なく、いつでも誰でも簡易に身体の捩れや歪みを矯正することができる。
（５）自宅や職場に備えておけば、接骨院やマッサージ店に行く場合のように、予約をしたり、通院したりする面倒がなく、使用者の都合のよいときに使用できるので便利である。また、費用もかからず、毎日継続して使用できるため効果的である。
【０００９】
本件出願の請求項２の身体矯正装置は脚保持具と、それを牽引する牽引駆動機構を備えるので、上記各効果に加えて、次のような効果もある。
（１）脚保持具で足首、膝、太もも等を保持し、その脚保持具を牽引駆動機構で牽引すれば、膝や脚の付け根の関節を真っ直ぐ伸ばすことができ、身体の捩れや歪みを矯正できる。また、身長を伸ばすこともできる。
【００１０】
本件出願の請求項３の身体矯正装置は、台に仰臥した使用者の顎を保持する顎保持具をも備えているので、上記各効果に加えて、次のような効果もある。
（１）前記脚保持具で足首、膝、太もも等を保持し、その脚保持具を牽引駆動機構で牽引するときに、顎保持具で台の上の人の顎を保持すれば、頭から脚まで真っ直ぐ伸ばすことができ、身体の捩れや歪みの矯正効果が高い。
【発明を実施するための最良の形態】
【００１１】
（実施形態１）
本発明の身体矯正装置の実施形態の一例を図１〜図７に基づいて説明する。本実施形態の身体矯正装置１は、図１に示すように、使用者２が仰臥できる台３と、台３を支持するフレーム４と、フレーム４に備えられ、台３を傾斜させる傾斜機構５と、台３の裏側に備えられ、台３を水平或は傾斜の状態で回転させる回転機構６とを備えるものである。前記台３には、台３上に仰臥した使用者２を台３に固定することができる各種固定具３０〜３７や、使用者２の足首を牽引することができる牽引駆動機構７も備えられている。また、フレーム４には制御盤８が設けられ、前記傾斜機構５、回転機構６、牽引駆動機構７の動作を制御できるようにしてある。制御盤８には、傾斜機構５、回転機構６、牽引駆動機構７の動作を実際に操作できる操作盤９が備えられている。
【００１２】
前記台３は、図１、図２に示すように、前記フレーム４の上に設けられた、使用者２が一名仰臥可能な大きさに形成された板状部材である。台３の大きさは、使用者２が一名仰臥可能な大きさであれば任意の大きさとすることができ、例えば、図３に示すように、縦（Ｌ）×横（Ｗ）を、２４００ｍｍ×１２００ｍｍとすることができる。台３は、最大２００ｋｇの使用者が仰臥できる強度を備えるものであることが望ましい。台３の四隅は、図に示すように切り欠いておくこともできる。台３には、木製、金属製、樹脂製等、任意の素材製の板材を用いることができ、例えば、表面にメラミン塗装を施したクロス合板等を用いることができる。
【００１３】
前記フレーム４は、図１、図４〜図６に示すように、前記台３の裏側に設けられた枠体であって、本発明の身体矯正装置１の土台である基台１１と、基台１１上に二本立設されたベース枠１２と、ベース枠１２間に備えられた軸１７に回動自在に備えられて台３の裏側に配置される台支持枠１３とを備えてなるものである。
【００１４】
前記基台１１は、金属製の角型パイプ等によって囲い状に形成された枠体であって、本発明の身体矯正装置１の土台となるものである。基台１１の下部には、図１、図４〜図６に示すように、基台１１を前後左右自在に移動させることができる自在キャスター１４が備えられている。また、基台１１の下部には、上下伸縮可能な脚１５も備えられ、脚１５を降ろして接地させ、基台１１を所望の位置で固定することができるようにしてある。脚１５の軸部分をネジが形成されたボルトとし、脚１５の接地部分を樹脂製等として、軸部分を回転させて脚１５を昇降可能とすることもできる。また、基台１１の上面には板を張ることもできる。
【００１５】
前記ベース枠１２は、図１、図４〜図６に示すように、金属製の角型パイプ等によって形成された枠体であって、基台１１上に二本対向させて立設されている部材である。二本の対向するベース枠１２間には、図５に示すように、補強材１６及び軸１７が設けられている。
【００１６】
前記台支持枠１３は、図１、図４〜図６に示すように、金属製の角型パイプ等によってコ字型に形成された枠体であって、ベース枠１２間に備えられた軸１７に回動自在に備えられ、台３の裏面に配置されて台３を支持する部材である。台支持枠１３の形状は、図に示すコ字型には限られず、四方を囲った囲い型等、他の任意の形状とすることもできる。台支持枠１３の上面には板を張ることもできる。
【００１７】
前記傾斜機構５は、図１、図５、図６に示すように、前記フレーム４に設けられた機構であって、台３を傾斜させる機構である。傾斜機構５は、上端を台支持枠１３に、下端を基台１１に夫々固定した伸縮機構１８と、その伸縮機構１８に備えられた駆動源１９とを備えてなるものである。
【００１８】
前記伸縮機構１８は、図１、図５、図６に示すように、ピストンロッド２０とシリンダー２１とを備える油圧シリンダーである。駆動源１９には、油圧シリンダーを作動させる油圧パワーユニットを用いる。油圧シリンダーのピストンロッド２０を伸ばすことによって、台支持枠１３を水平位置より上方に持ち上げ、台３を傾けることができる（図５、図６参照。）。ピストンロッド２０の伸縮を停止させると、傾斜させた位置で台３を停止させることができる。伸縮機構１８には、油圧シリンダーに代えて、エアシリンダーを用いることもできる。その場合、駆動源１９にはエアシリンダーを作動させるコンプレッサーを用いる。台３の傾斜角度は、０〜９０度の間で任意に設定することができ、任意の傾斜角度で停止させることができる。図５に示す台３の傾斜角度は約２０度、図６に示す台３の傾斜角度は約４５度である。また、台３の傾斜速度も任意とすることができ、例えば、台３を水平状態から４５度までの傾斜を１０秒で行うようにすることもできる。
【００１９】
この傾斜機構５による台３の傾斜は、前記回転機構６による台３の回転中においても行うことができる。また、前記牽引駆動機構７による使用者２の足首の牽引中においても行うことができる。
【００２０】
前記回転機構６は、図１、図４〜図６に示すように、台３の裏側に設けられ、台３を水平或は傾斜の状態で回転させる機構である。回転機構６は、同図に示すように、台３の回転の動力源となる駆動源２２と、駆動源２２に取付けられた駆動ギア２３と、リング状の本体の内周面に形成されたギアと前記駆動ギア２３とが咬合する旋回輪２４と、その旋回輪２４が下面に取付けられ、台３の裏面が上面に取付けられたターンテーブル２５と、前記旋回輪２４を回動自在に収容する旋回輪軸受２６とを備えてなるものである。
【００２１】
駆動源２２は、台３の回転の動力源であって、図１、図４〜図６に示すように、台支持枠１３に取付けられたモーターである。駆動源２２には、駆動ギア２３が取付けられている。駆動源２２は、駆動ギア２３を左右両方向に回転させられるようにすることもできる。駆動源２２は、モーターに限らず、油圧パワーユニット等、他の任意の駆動源を用いることもできる。また、駆動源２２の取付け位置も、台支持枠１３に限らず、他の任意の場所に取付けることもできる。図に示す駆動源２２には、駆動ギア２３が取付けられているが、駆動源２２と駆動ギア２３とは、別個に設けることもできる。
【００２２】
旋回輪２４は、図１、図４〜図６に示すように、リング状の本体の内周面にギアが形成されたものである。旋回輪２４の内周面に形成されたギアは、前記駆動ギア２３と咬合し、駆動ギア２３の回転に伴って、旋回輪２４も回転するようにしてある。前記旋回輪２４は、図１、図４〜図６に示すように、台支持枠１３の上面に設けられた筒状の旋回輪軸受２６内に回動自在に収容されている。そのため、駆動源２２を作動させて駆動ギア２３を回転させると、旋回輪軸受２６内で旋回輪２４が回転する。
【００２３】
ターンテーブル２５は、図１、図４〜図６に示すように、円形の板状部材であって、その下面は前記旋回輪２４の上部に取付けられ、その上面は台３の裏面に固定されている。同図に示すように、旋回輪２４と、ターンテーブル２５と、台３とはいずれも平行になるように固定されている。したがって、駆動源２２を作動させて駆動ギア２３を回転させ、旋回輪軸受２６内で旋回輪２４を回転させると、台３を、旋回輪２４の回転に伴って回転させることができる（図２、図４参照。）。台３は、例えば、毎分０．５〜１０回転の回転速度で回転させることができる。台３の回転方向は、左右任意の方向とすることができる。
【００２４】
この回転機構６による台３の回転は、前記傾斜機構５によって台３を傾斜させた後又は傾斜中においても行うことができる。また、前記牽引駆動機構７による使用者２の足首の牽引中においても行うことができる。
【００２５】
前記台３上には、図２、図３に示すように、台３上に仰臥した使用者２を台３に固定することができる各種固定具３０〜３７が備えられている。本実施形態では、図２、図３に示すように、固定具として枕３０、足置き３１、脇クッション３２、胴固定ベルト３３、膝固定ベルト３４、顎保持具３５、肩固定具３６、把持部３７が設けられている。固定具は、上記したものには限られず、使用者２の身体の一部又は全部を台３に固定することができれば、他の任意の固定具を用いることもできる。また、上記した固定具のうち一又は二以上を任意に省略することもできる。
【００２６】
枕３０は、台３上に面テープ等によって脱着自在に直接取付けられ、使用者２の頭部を支持し、位置決めするものである。枕３０には、使用者２が頭を台３に強く打ち付けたり、強くこすったりしないように保護する役割もある。枕３０には、使用者２の頭部を支持できるものであれば任意のものを用いることができるが、緩衝性のあるものを用いることが望ましい。また、枕３０は、中央部分を凹ませ、使用者２の頭部を支持し易くしておくこともできる。
【００２７】
足置き３１は、台３上に面テープ等によって脱着自在に直接取付けられ、使用者の踵及び足首を支持し、位置決めするものである。足置き３１には、使用者２が踵やふくらはぎを台３に強く打ちつけたり、強くこすったりしないように保護する役割もある。足置き３１には、使用者２の踵及び足首を支持できるものであれば任意のものを用いることができるが、緩衝性のあるものを用いることが望ましい。また、足置き３１は、踵の位置する部分を凹ませ、使用者２の踵を支持し易くしておくこともできる。
【００２８】
脇クッション３２は、台３上に面テープ等によって左右一つずつ脱着自在に取付けられ、使用者の胴体を支持し、位置決めするものである。脇クッション３２には、使用者の胴体を回転時や傾斜時の衝撃から保護する役割もある。脇クッション３２にも、使用者２の胴体２を支持できるものであれば任意のものを用いることができるが、緩衝性のあるものを用いることが望ましい。
【００２９】
胴固定ベルト３３は、台３上に取付けられた左右二本で一対のベルト状の部材であって、台３上に仰臥した使用者２の胴体に巻付けて使用者２の胴体を台３上に固定するものである。一対の胴固定ベルト３３の端部には、図３に示すように互いに貼り合わせ可能な面テープ３８が備えられ、胴固定ベルト３３を所望の巻付け長に調節して固定できるようにしてある。胴固定ベルト３３は、図２に示すように、前記脇クッション３２ごと使用者２の胴体に巻付けて固定することができる。左右の胴固定ベルト３３同士の固定は、図に示す面テープ３８による固定には限られず、固定用のバックル、ボタン、留め金等、胴固定ベルト３３を胴体に巻付けて装着離脱可能に固定できるものであれば、任意の固定方法を用いることができる。胴固定ベルト３３は、布、革、樹脂等、任意の素材で形成することができるが、胴固定ベルト３３の胴体巻付け面には、滑りにくい素材を使用して、胴体に巻付けた際にずれにくくしておくことが望ましい。
【００３０】
膝固定ベルト３４は、左右二本で一対のベルト状部材であって、台３上に仰臥した使用者２の膝下に巻付けて使用者２の膝を台３上に固定するものである。膝固定ベルト３４は、台３上に二対設けられ、使用者２の両膝を台３上に固定することができるようにしてある。一対の膝固定ベルト３４の端部にも、図３に示すように互いに貼り合わせ可能な面テープ３９が備えられ、膝固定ベルト３４を所望の巻付け長に調節して固定できるようにしてある。左右の膝固定ベルト３４同士の固定は、面テープ３９による固定には限られず、固定用のバックル、ボタン、留め金等、膝固定ベルト３４を膝下に巻付けて装着離脱可能に固定できるものであれば、任意の固定方法を用いることができる。膝固定ベルト３４は、布、革、樹脂等、任意の素材で形成することができるが、膝固定ベルト３４の膝下巻付け面には、滑りにくい素材を使用して、膝下に巻付けた際にずれにくくしておくことが望ましい。
【００３１】
顎保持具３５は、台３の端部に設けられた取付枠４０に取付けられ、台３上に仰臥した使用者２の顎部を保持し、位置決めするものである。顎保持具３５は、図２、図３に示すように、顎当て部４１と紐部４２とからなる。顎保持具３５は、紐部４２を取付枠４０に固定し、顎当て部４１を使用者２の顎に当てて、顎を支持する。顎保持具３５も、紐部４２の長さを調節したり、顎当て部４１の顎当て長を調節したりすることもできる。紐部４２には、伸縮性のない紐とすることもできるが、ゴムやバネ等のように伸縮性のあるものを用いることもできる。また、顎当て部４１も、布、革、樹脂等、任意の素材で形成することができる。
【００３２】
肩固定具３６は、台３の端部に設けられた取付枠４０に取付けられ、台３上に仰臥した使用者２の両肩を支持し、位置決めするものである。肩固定具３６は、図２、図３に示すように、肩当て部４３と紐部４４とからなる。肩固定具３６は、紐部４４を取付枠４０に固定し、肩当て部４３を、背中から両脇の下を通して両肩の上に出して、両肩を支持する。肩当て部４３は、図３に示すように、背中に当たる部分を細く、両肩に当たる部分を太く形成してある。肩固定具３６も、紐部４４の長さを調節したり、肩当て部４３の形状を変えたりすることもできる。紐部４４には、伸縮性のない紐とすることもできるが、ゴムやバネ等のように伸縮性のあるものを用いることもできる。また、肩当て部４３も、布、革、樹脂等、任意の素材で形成することができる。
【００３３】
把持部３７は、台３に設けられ、台３に仰臥した使用者２が、手で把持することができる手すり（取っ手）状の部材である。把持部３７の形状は、図２、図３に示すものには限られず、任意の形状とすることができる。また、把持部３７は、木製、金属製、樹脂製等、任意の素材製とすることができる。
【００３４】
その他にも、図２、図３に示す膝固定ベルト３４に代えて、図７に示すように、膝下に帯状部材６０を巻き、その帯状部材６０をスプリング６１で上方に引っ張るようにして膝を固定するようにしたり、図２、図３の手すり状の把持具３７に代えて、図７に示すように棒状の把持具３７を設けて使用者２が把持できるようにしたりすることもできる。固定具は、上記したものには限られず、使用者２を台３上に固定可能であれば任意のものを用いることができる。
【００３５】
前記牽引駆動機構７は、台３の足元側に備えられ、台３上に仰臥した使用者２の足首を連続して牽引させる機構である。牽引駆動機構７は、図１、図２に示すように、台３に取付けられた設置台４５上に二本の伸縮機構４６が設けられてなるものである。
【００３６】
前記設置台４５は、台３の足元側に取付けられた枠状の部材であって、図１、図２に示すように、伸縮機構４６を二本設置可能なものである。設置台４５には、使用者２の足首の位置に合わせて伸縮機構４６の取付け位置を調節可能な長穴等を形成することもできる。また、設置台４５を省略して、伸縮機構４６を直接台３上に設けることもできる。その場合は、台３上に、使用者２の足首の位置に合わせて伸縮機構４６の取付け位置を調節可能な長穴等を形成することもできる。
【００３７】
前記伸縮機構４６は、図１、図２に示すように、ピストンロッド４７とシリンダー４８とを備えるエアシリンダーである。エアシリンダーの駆動源には、コンプレッサー（図示しない）を用いる。その場合、ピストンロッド４７の先に脚保持具４９を取付け、その脚保持具４９を使用者２の足首に取付けて足首を保持し、エアシリンダーのピストンロッド４７を連続して伸縮させて、脚保持具４９を連続して牽引することにより、その脚保持具４９で保持された使用者２の足首を牽引させることができる。本実施形態の場合、膝固定ベルト３４で使用者２の膝を固定しているので、膝の関節や足首の間接を中心に、足に効果的な伸縮運動を与えることができる。前記脚保持具４９は、足首の他にも、膝、太ももといった脚の一部を保持することができる。伸縮機構４６には、エアシリンダーの他に油圧シリンダーを用いることもできる。また、それ以外にも往復運動が可能な機構であれば、任意のものを用いることができる。
【００３８】
牽引駆動機構７による使用者２の足首の牽引は、操作によって任意のタイミングで行うことも、所定の間隔毎に自動的に行うこともできる。牽引駆動機構７は、図に示すような足首のみの牽引には限られず、膝、太もも、腕、腰等、身体の任意の部位を牽引できるようにすることもできる。
【００３９】
この牽引駆動機構７による使用者２の足首の牽引は、前記傾斜機構５によって台３を傾斜させた後又は傾斜中においても行うことができる。また、前記回転機構６による台３の回転中においても行うことができる。
【００４０】
前記制御盤８は、前記傾斜機構５、回転機構６、牽引駆動機構７の動作を制御するものであって、図１に示すように、フレーム４の基台１１上に設けられている。制御盤８は、回転機構６を制御して、台３の回転速度を変化させたり、台３の回転方向を変化させたりすることができる。また、傾斜機構５を制御して、台３の傾斜角度を設定・変更させたりすることもできる。牽引駆動機構７を制御して、伸縮機構４６を伸縮させたりすることもできる。また、制御盤８は、１分〜３０分の間で、本発明の身体矯正装置１の自動運転時間を設定したりすることもできる。制御盤８の設置位置は、図に示す位置には限られず、例えば、フレーム４の外側等、他の任意の設置位置とすることもできる。
【００４１】
前記制御盤８には、図１に示すように、傾斜機構５、回転機構６、牽引駆動機構７の動作を実際に操作できる操作盤９が備えられている。本実施形態の操作盤９は、図１に示すように、フレキシブルチューブ５０を介して前記制御盤８に取付けられている。もっとも、フレキシブルチューブ５０を省略して、操作盤９によって制御盤８を遠隔操作可能とすることもできる。操作盤９には、電源ＯＮ／ＯＦＦスイッチ、回転速度調整ツマミ、回転速度メーター、回転方向決定スイッチ、傾斜角度設定ツマミ、牽引駆動機構作動スイッチ、非常停止ボタン、自動運転設定スイッチ、その他任意のスイッチ、ツマミ、メーター等を設けることができる。
【００４２】
また、本発明の身体矯正装置１には、図１、図４〜図６に示すように、フレーム４の基台１１の上方部分を覆うカバー５１が設けられている。カバー５１は、図に示すように蛇腹形状に形成されており、台３の傾斜に合わせて変形するようにしてある（図５、図６参照。）。
【００４３】
（使用例）
本発明の身体矯正装置を用いて、使用者の身体の捩れや歪みを矯正するには、次のようにする。
（１）図１、図２に示すように使用者２の身体を台３上に仰臥させる。
（２）固定具３０〜３７によって各部を固定し、使用者２の身体を台３上に固定する（図２参照。）。
（３）牽引駆動機構７のピストンロッド４７の先に脚保持具４９を取付け、その脚保持具４９を使用者２の足首に取付ける（図２参照。）。
（４）操作盤９を操作して、傾斜機構５を作動させ、台３を所望の傾斜角度まで傾斜させて停止させる（図５、図６参照。）。
（５）更に操作盤９を操作して、回転機構６を作動させ、台３を回転させる。
（６）更に操作盤９を操作して、牽引駆動機構７を作動させ、使用者２の足首を牽引させる。
（７）所望の矯正が終了したら、操作盤９を再度操作して、回転機構６を停止させて台３の回転を停止させ、牽引駆動機構７を停止させて使用者２の足首の牽引運動を停止させる。
（８）操作盤９を操作して、傾斜させた台３を水平位置まで戻す。
（９）台３が水平位置まで戻ったら、脚保持具４９を使用者２の足首から取り外し、脚保持具４９を牽引駆動機構７のピストンロッド４７から取り外す。
（１０）各固定具３０〜３７による固定を解除し、使用者２を台３上から降ろす。
【００４４】
前記使用例において、（４）、（５）、（６）の工程は、任意の順番で行うことができる。また、（４）、（５）、（６）の工程のうち、一つ又は二つの工程を省略することもできる。また、操作盤９による操作は、使用者が自ら行うことも、他に操作者を用意してその操作者に操作させることもできる。また、予め身体矯正装置１が行う動作を設定しておき、（４）〜（８）の工程を自動で行うことができるようにしておくことも可能である。
【００４５】
（その他の実施形態）
前記実施形態に示す本発明の身体矯正装置はあくまで一例であって、各部材、機構の形状、構造、大きさ、数量等は、前記のものには限られず、任意とすることができる。従って、例えば、牽引駆動機構を二以上備えて、両手両足を一度に牽引させることも可能である。
【００４６】
本発明の身体矯正装置においては、回転機構、傾斜機構、牽引駆動機構のうち、一つ又は二つを省略することもできる。従って、例えば、牽引駆動機構を省略し、台の傾斜及び回転のみを行うことができる身体矯正装置とすることもできる。
【産業上の利用可能性】
【００４７】
本発明の身体矯正装置は、身体の捩れや歪みの矯正用の装置には限られず、医科歯科治療用の寝台等、人間を仰臥させて使用する装置にも広く応用することができる。
【図面の簡単な説明】
【００４８】
【図１】本発明の身体矯正装置の実施形態の一例を示す正面図。
【図２】図１に示す身体矯正装置の平面図。
【図３】図１に示す身体矯正装置の未使用状態の平面図。
【図４】図１に示す身体矯正装置の右側面図。
【図５】図１に示す身体矯正装置の台を傾斜（傾斜角度約２０度）させた様子を示す正面図。
【図６】図１に示す身体矯正装置の台を傾斜（傾斜角度約４５度）させた様子を示す正面図。
【図７】本発明の身体矯正装置の固定具の他の一例を示す平面図。
【符号の説明】
【００４９】
１  身体矯正装置
２  使用者
３  台
４  フレーム
５  傾斜機構
６  回転機構
７  牽引駆動機構
８  制御盤
９  操作盤
１１  基台
１２  ベース枠
１３  台支持枠
１７  軸
１８  伸縮機構（傾斜機構）
２４  旋回輪
２５  ターンテーブル
２６  旋回輪軸受
３０〜３７  固定具
４６  伸縮機構（牽引駆動機構）
４９  脚保持具
【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
使用者が仰臥できる台（３）と、台（３）を傾斜させる傾斜機構（５）と、台（３）を水平或は傾斜の状態で正・逆回転させる回転機構（６）を備え、前記台（３）にはその上に仰臥した使用者の胴体の両側に宛がって胴体を支持する脇クッション（３２）と、当該使用者の胴体を台（３）に固定する胴固定ベルト（３３）と、当該使用者の顎の下に掛けて顎を保持する顎保持具（３５）と、当該使用者の両脇の下から両肩の上に出して両肩を支持する肩固定具（３６）と、当該使用者の足首を保持できる脚保持具（４９）と、脚保持具（４９）を台（３）の下方に牽引可能な牽引駆動機構（４７）が設けられ、前記傾斜機構（５）、回転機構（６）、牽引駆動機構（７）の動作は操作盤（９）で制御可能であり、前記傾斜機構（５）は台（３）の傾斜角度を調節可能であり、前記回転機構は台（３）の裏側中央部であって台の上面に仰臥する使用者の胴中央部下の位置に設けられて台（３）が傾斜した状態で回転するとその回転に伴って台（３）の上に仰臥した使用者の頭側と脚側が半周ずつ自動的に上下に変わりながら回転するようにしたことを特徴とする身体矯正装置。
【手続補正２】
【補正対象書類名】明細書
【補正対象項目名】全文
【補正方法】変更
【補正の内容】
【発明の詳細な説明】
【技術分野】
【０００１】
本発明は身体の捩れや歪みを矯正して身体のバランスを整え、身体の血流を良くして健康の維持、増進に役立てることができる身体矯正装置に関する。
【背景技術】
【０００２】
従来、身体の捩れや歪みを矯正する方法として、整体（カイロプラクティック）やマッサージ等がある。整体やマッサージによる身体の捩れや歪みの矯正は、接骨院やマッサージ室等へ行って、専門の整体師やマッサージ師等から、直接身体をもむ、ほぐす、押す、引っ張る、叩く等の施術を受けることによって行うものである。
【発明の開示】
【発明が解決しようとする課題】
【０００３】
しかし、整体やマッサージによる身体の捩れや歪みの矯正には、次のような課題がある。
（１）整体やマッサージには、資格や熟練した技能が必要であり、素人が身体を無理に矯正しようとすると却って身体を損傷するおそれがある。そのため、整体やマッサージを受けるためには一々接骨院やマッサージのお店へ行き、専門の整体師やマッサージ師に施術を施してもらわなければならない。この場合、予約をしたり、通院したりしなければならず面倒であり、時間に余裕のない場合は整体やマッサージをなかなか受けにくい。
（２）整体やマッサージは、専門の整体師やマッサージ師が行うため、一回の施術費用が高い。
【課題を解決するための手段】
【０００４】
本発明の身体矯正装置は、熟練した技能を必要とせず、何時でも、誰でも簡易且つ安価に身体の捩れや歪みを矯正し、身体のバランスを整え、身体の血流を良くして健康の維持、増進に役立てることができるものである。
【０００５】
本願の身体矯正装置は、使用者が仰臥できる台３と、台３を傾斜させる傾斜機構５と、台３を水平或は傾斜の状態で正・逆回転させる回転機構６を備え、前記台３にはその上に仰臥した使用者の胴体の両側に宛がって胴体を支持する脇クッション３２と、当該使用者の胴体を台３に固定する胴固定ベルト３３と、当該使用者の顎の下に掛けて顎を保持する顎保持具３５と、当該使用者の両脇の下から両肩の上に出して両肩を支持する肩固定具３６と、当該使用者の足首を保持できる脚保持具４９と、脚保持具４９を台３の下方に牽引可能な牽引駆動機構４７が設けられ、前記傾斜機構５、回転機構６、牽引駆動機構７の動作は操作盤９で制御可能であり、前記傾斜機構５は台３の傾斜角度を調節可能であり、前記回転機構は台３の裏側中央部であって台の上面に仰臥する使用者の胴中央部下の位置に設けられて台３が傾斜した状態で回転するとその回転に伴って台３の上に仰臥した使用者の頭側と脚側が半周ずつ自動的に上下に変わりながら回転するようにしたものである。
【０００６】
【０００７】
【発明の効果】
【０００８】
本件出願の身体矯正装置は次のような効果がある。
（１）使用者が台に仰臥した状態で、台を傾斜させたり、台を水平又は傾斜した状態で回転させたりすることにより、身体を頭の先から足先まで真っ直ぐにすることができるため、身体の捩れや歪みが矯正されて身体のバランスが良くなる。また、身体の血流も良くなって健康の維持や増進に役立てることができる。
（２）身体が固定具によって台に固定されるので、台を傾けたり回転させたりしても身体が台から落下する心配がなく、使用者がリラックスした状態で矯正を受けることができる。
（３）使用者は台に仰臥するだけであるため、身体に無理がかからず、自然な状態で使用できる。
（４）整体やマッサージについての専門的な知識や熟練技能も必要なく、いつでも誰でも簡易に身体の捩れや歪みを矯正することができる。
（５）自宅や職場に備えておけば、接骨院やマッサージ店に行く場合のように、予約をしたり、通院したりする面倒がなく、使用者の都合のよいときに使用できるので便利である。また、費用もかからず、毎日継続して使用できるため効果的である。
【０００９】
本件出願の身体矯正装置は脚保持具と、それを牽引する牽引駆動機構を備えるので、上記各効果に加えて、次のような効果もある。
（１）脚保持具で足首、膝、太もも等を保持し、その脚保持具を牽引駆動機構で牽引すれば、膝や脚の付け根の関節を真っ直ぐ伸ばすことができ、身体の捩れや歪みを矯正できる。また、身長を伸ばすこともできる。
【００１０】
本件出願の身体矯正装置は、台に仰臥した使用者の顎を保持する顎保持具をも備えているので、上記各効果に加えて、次のような効果もある。
（１）前記脚保持具で足首、膝、太もも等を保持し、その脚保持具を牽引駆動機構で牽引するときに、顎保持具で台の上の人の顎を保持すれば、頭から脚まで真っ直ぐ伸ばすことができ、身体の捩れや歪みの矯正効果が高い。
【発明を実施するための最良の形態】
【００１１】
（実施形態１）
本発明の身体矯正装置の実施形態の一例を図１〜図７に基づいて説明する。本実施形態の身体矯正装置１は、図１に示すように、使用者２が仰臥できる台３と、台３を支持するフレーム４と、フレーム４に備えられ、台３を傾斜させる傾斜機構５と、台３の裏側に備えられ、台３を水平或は傾斜の状態で回転させる回転機構６とを備えるものである。前記台３には、台３上に仰臥した使用者２を台３に固定することができる各種固定具３０〜３７や、使用者２の足首を牽引することができる牽引駆動機構７も備えられている。また、フレーム４には制御盤８が設けられ、前記傾斜機構５、回転機構６、牽引駆動機構７の動作を制御できるようにしてある。制御盤８には、傾斜機構５、回転機構６、牽引駆動機構７の動作を実際に操作できる操作盤９が備えられている。
【００１２】
前記台３は、図１、図２に示すように、前記フレーム４の上に設けられた、使用者２が一名仰臥可能な大きさに形成された板状部材である。台３の大きさは、使用者２が一名仰臥可能な大きさであれば任意の大きさとすることができ、例えば、図３に示すように、縦（Ｌ）×横（Ｗ）を、２４００ｍｍ×１２００ｍｍとすることができる。台３は、最大２００ｋｇの使用者が仰臥できる強度を備えるものであることが望ましい。台３の四隅は、図に示すように切り欠いておくこともできる。台３には、木製、金属製、樹脂製等、任意の素材製の板材を用いることができ、例えば、表面にメラミン塗装を施したクロス合板等を用いることができる。
【００１３】
前記フレーム４は、図１、図４〜図６に示すように、前記台３の裏側に設けられた枠体であって、本発明の身体矯正装置１の土台である基台１１と、基台１１上に二本立設されたベース枠１２と、ベース枠１２間に備えられた軸１７に回動自在に備えられて台３の裏側に配置される台支持枠１３とを備えてなるものである。
【００１４】
前記基台１１は、金属製の角型パイプ等によって囲い状に形成された枠体であって、本発明の身体矯正装置１の土台となるものである。基台１１の下部には、図１、図４〜図６に示すように、基台１１を前後左右自在に移動させることができる自在キャスター１４が備えられている。また、基台１１の下部には、上下伸縮可能な脚１５も備えられ、脚１５を降ろして接地させ、基台１１を所望の位置で固定することができるようにしてある。脚１５の軸部分をネジが形成されたボルトとし、脚１５の接地部分を樹脂製等として、軸部分を回転させて脚１５を昇降可能とすることもできる。また、基台１１の上面には板を張ることもできる。
【００１５】
前記ベース枠１２は、図１、図４〜図６に示すように、金属製の角型パイプ等によって形成された枠体であって、基台１１上に二本対向させて立設されている部材である。二本の対向するベース枠１２間には、図５に示すように、補強材１６及び軸１７が設けられている。
【００１６】
前記台支持枠１３は、図１、図４〜図６に示すように、金属製の角型パイプ等によってコ字型に形成された枠体であって、ベース枠１２間に備えられた軸１７に回動自在に備えられ、台３の裏面に配置されて台３を支持する部材である。台支持枠１３の形状は、図に示すコ字型には限られず、四方を囲った囲い型等、他の任意の形状とすることもできる。台支持枠１３の上面には板を張ることもできる。
【００１７】
前記傾斜機構５は、図１、図５、図６に示すように、前記フレーム４に設けられた機構であって、台３を傾斜させる機構である。傾斜機構５は、上端を台支持枠１３に、下端を基台１１に夫々固定した伸縮機構１８と、その伸縮機構１８に備えられた駆動源１９とを備えてなるものである。
【００１８】
前記伸縮機構１８は、図１、図５、図６に示すように、ピストンロッド２０とシリンダー２１とを備える油圧シリンダーである。駆動源１９には、油圧シリンダーを作動させる油圧パワーユニットを用いる。油圧シリンダーのピストンロッド２０を伸ばすことによって、台支持枠１３を水平位置より上方に持ち上げ、台３を傾けることができる（図５、図６参照。）。ピストンロッド２０の伸縮を停止させると、傾斜させた位置で台３を停止させることができる。伸縮機構１８には、油圧シリンダーに代えて、エアシリンダーを用いることもできる。その場合、駆動源１９にはエアシリンダーを作動させるコンプレッサーを用いる。台３の傾斜角度は、０〜９０度の間で任意に設定することができ、任意の傾斜角度で停止させることができる。図５に示す台３の傾斜角度は約２０度、図６に示す台３の傾斜角度は約４５度である。また、台３の傾斜速度も任意とすることができ、例えば、台３を水平状態から４５度までの傾斜を１０秒で行うようにすることもできる。
【００１９】
この傾斜機構５による台３の傾斜は、前記回転機構６による台３の回転中においても行うことができる。また、前記牽引駆動機構７による使用者２の足首の牽引中においても行うことができる。
【００２０】
前記回転機構６は、図１、図４〜図６に示すように、台３の裏側に設けられ、台３を水平或は傾斜の状態で回転させる機構である。回転機構６は、同図に示すように、台３の回転の動力源となる駆動源２２と、駆動源２２に取付けられた駆動ギア２３と、リング状の本体の内周面に形成されたギアと前記駆動ギア２３とが咬合する旋回輪２４と、その旋回輪２４が下面に取付けられ、台３の裏面が上面に取付けられたターンテーブル２５と、前記旋回輪２４を回動自在に収容する旋回輪軸受２６とを備えてなるものである。
【００２１】
駆動源２２は、台３の回転の動力源であって、図１、図４〜図６に示すように、台支持枠１３に取付けられたモーターである。駆動源２２には、駆動ギア２３が取付けられている。駆動源２２は、駆動ギア２３を左右両方向に回転させられるようにすることもできる。駆動源２２は、モーターに限らず、油圧パワーユニット等、他の任意の駆動源を用いることもできる。また、駆動源２２の取付け位置も、台支持枠１３に限らず、他の任意の場所に取付けることもできる。図に示す駆動源２２には、駆動ギア２３が取付けられているが、駆動源２２と駆動ギア２３とは、別個に設けることもできる。
【００２２】
旋回輪２４は、図１、図４〜図６に示すように、リング状の本体の内周面にギアが形成されたものである。旋回輪２４の内周面に形成されたギアは、前記駆動ギア２３と咬合し、駆動ギア２３の回転に伴って、旋回輪２４も回転するようにしてある。前記旋回輪２４は、図１、図４〜図６に示すように、台支持枠１３の上面に設けられた筒状の旋回輪軸受２６内に回動自在に収容されている。そのため、駆動源２２を作動させて駆動ギア２３を回転させると、旋回輪軸受２６内で旋回輪２４が回転する。
【００２３】
ターンテーブル２５は、図１、図４〜図６に示すように、円形の板状部材であって、その下面は前記旋回輪２４の上部に取付けられ、その上面は台３の裏面に固定されている。同図に示すように、旋回輪２４と、ターンテーブル２５と、台３とはいずれも平行になるように固定されている。したがって、駆動源２２を作動させて駆動ギア２３を回転させ、旋回輪軸受２６内で旋回輪２４を回転させると、台３を、旋回輪２４の回転に伴って回転させることができる（図２、図４参照。）。台３は、例えば、毎分０．５〜１０回転の回転速度で回転させることができる。台３の回転方向は、左右任意の方向とすることができる。
【００２４】
この回転機構６による台３の回転は、前記傾斜機構５によって台３を傾斜させた後又は傾斜中においても行うことができる。また、前記牽引駆動機構７による使用者２の足首の牽引中においても行うことができる。
【００２５】
前記台３上には、図２、図３に示すように、台３上に仰臥した使用者２を台３に固定することができる各種固定具３０〜３７が備えられている。本実施形態では、図２、図３に示すように、固定具として枕３０、足置き３１、脇クッション３２、胴固定ベルト３３、膝固定ベルト３４、顎保持具３５、肩固定具３６、把持部３７が設けられている。固定具は、上記したものには限られず、使用者２の身体の一部又は全部を台３に固定することができれば、他の任意の固定具を用いることもできる。また、上記した固定具のうち一又は二以上を任意に省略することもできる。
【００２６】
枕３０は、台３上に面テープ等によって脱着自在に直接取付けられ、使用者２の頭部を支持し、位置決めするものである。枕３０には、使用者２が頭を台３に強く打ち付けたり、強くこすったりしないように保護する役割もある。枕３０には、使用者２の頭部を支持できるものであれば任意のものを用いることができるが、緩衝性のあるものを用いることが望ましい。また、枕３０は、中央部分を凹ませ、使用者２の頭部を支持し易くしておくこともできる。
【００２７】
足置き３１は、台３上に面テープ等によって脱着自在に直接取付けられ、使用者の踵及び足首を支持し、位置決めするものである。足置き３１には、使用者２が踵やふくらはぎを台３に強く打ちつけたり、強くこすったりしないように保護する役割もある。足置き３１には、使用者２の踵及び足首を支持できるものであれば任意のものを用いることができるが、緩衝性のあるものを用いることが望ましい。また、足置き３１は、踵の位置する部分を凹ませ、使用者２の踵を支持し易くしておくこともできる。
【００２８】
脇クッション３２は、台３上に面テープ等によって左右一つずつ脱着自在に取付けられ、使用者の胴体を支持し、位置決めするものである。脇クッション３２には、使用者の胴体を回転時や傾斜時の衝撃から保護する役割もある。脇クッション３２にも、使用者２の胴体２を支持できるものであれば任意のものを用いることができるが、緩衝性のあるものを用いることが望ましい。
【００２９】
胴固定ベルト３３は、台３上に取付けられた左右二本で一対のベルト状の部材であって、台３上に仰臥した使用者２の胴体に巻付けて使用者２の胴体を台３上に固定するものである。一対の胴固定ベルト３３の端部には、図３に示すように互いに貼り合わせ可能な面テープ３８が備えられ、胴固定ベルト３３を所望の巻付け長に調節して固定できるようにしてある。胴固定ベルト３３は、図２に示すように、前記脇クッション３２ごと使用者２の胴体に巻付けて固定することができる。左右の胴固定ベルト３３同士の固定は、図に示す面テープ３８による固定には限られず、固定用のバックル、ボタン、留め金等、胴固定ベルト３３を胴体に巻付けて装着離脱可能に固定できるものであれば、任意の固定方法を用いることができる。胴固定ベルト３３は、布、革、樹脂等、任意の素材で形成することができるが、胴固定ベルト３３の胴体巻付け面には、滑りにくい素材を使用して、胴体に巻付けた際にずれにくくしておくことが望ましい。
【００３０】
膝固定ベルト３４は、左右二本で一対のベルト状部材であって、台３上に仰臥した使用者２の膝下に巻付けて使用者２の膝を台３上に固定するものである。膝固定ベルト３４は、台３上に二対設けられ、使用者２の両膝を台３上に固定することができるようにしてある。一対の膝固定ベルト３４の端部にも、図３に示すように互いに貼り合わせ可能な面テープ３９が備えられ、膝固定ベルト３４を所望の巻付け長に調節して固定できるようにしてある。左右の膝固定ベルト３４同士の固定は、面テープ３９による固定には限られず、固定用のバックル、ボタン、留め金等、膝固定ベルト３４を膝下に巻付けて装着離脱可能に固定できるものであれば、任意の固定方法を用いることができる。膝固定ベルト３４は、布、革、樹脂等、任意の素材で形成することができるが、膝固定ベルト３４の膝下巻付け面には、滑りにくい素材を使用して、膝下に巻付けた際にずれにくくしておくことが望ましい。
【００３１】
顎保持具３５は、台３の端部に設けられた取付枠４０に取付けられ、台３上に仰臥した使用者２の顎部を保持し、位置決めするものである。顎保持具３５は、図２、図３に示すように、顎当て部４１と紐部４２とからなる。顎保持具３５は、紐部４２を取付枠４０に固定し、顎当て部４１を使用者２の顎に当てて、顎を支持する。顎保持具３５も、紐部４２の長さを調節したり、顎当て部４１の顎当て長を調節したりすることもできる。紐部４２には、伸縮性のない紐とすることもできるが、ゴムやバネ等のように伸縮性のあるものを用いることもできる。また、顎当て部４１も、布、革、樹脂等、任意の素材で形成することができる。
【００３２】
肩固定具３６は、台３の端部に設けられた取付枠４０に取付けられ、台３上に仰臥した使用者２の両肩を支持し、位置決めするものである。肩固定具３６は、図２、図３に示すように、肩当て部４３と紐部４４とからなる。肩固定具３６は、紐部４４を取付枠４０に固定し、肩当て部４３を、背中から両脇の下を通して両肩の上に出して、両肩を支持する。肩当て部４３は、図３に示すように、背中に当たる部分を細く、両肩に当たる部分を太く形成してある。肩固定具３６も、紐部４４の長さを調節したり、肩当て部４３の形状を変えたりすることもできる。紐部４４には、伸縮性のない紐とすることもできるが、ゴムやバネ等のように伸縮性のあるものを用いることもできる。また、肩当て部４３も、布、革、樹脂等、任意の素材で形成することができる。
【００３３】
把持部３７は、台３に設けられ、台３に仰臥した使用者２が、手で把持することができる手すり（取っ手）状の部材である。把持部３７の形状は、図２、図３に示すものには限られず、任意の形状とすることができる。また、把持部３７は、木製、金属製、樹脂製等、任意の素材製とすることができる。
【００３４】
その他にも、図２、図３に示す膝固定ベルト３４に代えて、図７に示すように、膝下に帯状部材６０を巻き、その帯状部材６０をスプリング６１で上方に引っ張るようにして膝を固定するようにしたり、図２、図３の手すり状の把持具３７に代えて、図７に示すように棒状の把持具３７を設けて使用者２が把持できるようにしたりすることもできる。固定具は、上記したものには限られず、使用者２を台３上に固定可能であれば任意のものを用いることができる。
【００３５】
前記牽引駆動機構７は、台３の足元側に備えられ、台３上に仰臥した使用者２の足首を連続して牽引させる機構である。牽引駆動機構７は、図１、図２に示すように、台３に取付けられた設置台４５上に二本の伸縮機構４６が設けられてなるものである。
【００３６】
前記設置台４５は、台３の足元側に取付けられた枠状の部材であって、図１、図２に示すように、伸縮機構４６を二本設置可能なものである。設置台４５には、使用者２の足首の位置に合わせて伸縮機構４６の取付け位置を調節可能な長穴等を形成することもできる。また、設置台４５を省略して、伸縮機構４６を直接台３上に設けることもできる。その場合は、台３上に、使用者２の足首の位置に合わせて伸縮機構４６の取付け位置を調節可能な長穴等を形成することもできる。
【００３７】
前記伸縮機構４６は、図１、図２に示すように、ピストンロッド４７とシリンダー４８とを備えるエアシリンダーである。エアシリンダーの駆動源には、コンプレッサー（図示しない）を用いる。その場合、ピストンロッド４７の先に脚保持具４９を取付け、その脚保持具４９を使用者２の足首に取付けて足首を保持し、エアシリンダーのピストンロッド４７を連続して伸縮させて、脚保持具４９を連続して牽引することにより、その脚保持具４９で保持された使用者２の足首を牽引させることができる。本実施形態の場合、膝固定ベルト３４で使用者２の膝を固定しているので、膝の関節や足首の間接を中心に、足に効果的な伸縮運動を与えることができる。前記脚保持具４９は、足首の他にも、膝、太ももといった脚の一部を保持することができる。伸縮機構４６には、エアシリンダーの他に油圧シリンダーを用いることもできる。また、それ以外にも往復運動が可能な機構であれば、任意のものを用いることができる。
【００３８】
牽引駆動機構７による使用者２の足首の牽引は、操作によって任意のタイミングで行うことも、所定の間隔毎に自動的に行うこともできる。牽引駆動機構７は、図に示すような足首のみの牽引には限られず、膝、太もも、腕、腰等、身体の任意の部位を牽引できるようにすることもできる。
【００３９】
この牽引駆動機構７による使用者２の足首の牽引は、前記傾斜機構５によって台３を傾斜させた後又は傾斜中においても行うことができる。また、前記回転機構６による台３の回転中においても行うことができる。
【００４０】
前記制御盤８は、前記傾斜機構５、回転機構６、牽引駆動機構７の動作を制御するものであって、図１に示すように、フレーム４の基台１１上に設けられている。制御盤８は、回転機構６を制御して、台３の回転速度を変化させたり、台３の回転方向を変化させたりすることができる。また、傾斜機構５を制御して、台３の傾斜角度を設定・変更させたりすることもできる。牽引駆動機構７を制御して、伸縮機構４６を伸縮させたりすることもできる。また、制御盤８は、１分〜３０分の間で、本発明の身体矯正装置１の自動運転時間を設定したりすることもできる。制御盤８の設置位置は、図に示す位置には限られず、例えば、フレーム４の外側等、他の任意の設置位置とすることもできる。
【００４１】
前記制御盤８には、図１に示すように、傾斜機構５、回転機構６、牽引駆動機構７の動作を実際に操作できる操作盤９が備えられている。本実施形態の操作盤９は、図１に示すように、フレキシブルチューブ５０を介して前記制御盤８に取付けられている。もっとも、フレキシブルチューブ５０を省略して、操作盤９によって制御盤８を遠隔操作可能とすることもできる。操作盤９には、電源ＯＮ／ＯＦＦスイッチ、回転速度調整ツマミ、回転速度メーター、回転方向決定スイッチ、傾斜角度設定ツマミ、牽引駆動機構作動スイッチ、非常停止ボタン、自動運転設定スイッチ、その他任意のスイッチ、ツマミ、メーター等を設けることができる。
【００４２】
また、本発明の身体矯正装置１には、図１、図４〜図６に示すように、フレーム４の基台１１の上方部分を覆うカバー５１が設けられている。カバー５１は、図に示すように蛇腹形状に形成されており、台３の傾斜に合わせて変形するようにしてある（図５、図６参照。）。
【００４３】
（使用例）
本発明の身体矯正装置を用いて、使用者の身体の捩れや歪みを矯正するには、次のようにする。
（１）図１、図２に示すように使用者２の身体を台３上に仰臥させる。
（２）固定具３０〜３７によって各部を固定し、使用者２の身体を台３上に固定する（図２参照。）。
（３）牽引駆動機構７のピストンロッド４７の先に脚保持具４９を取付け、その脚保持具４９を使用者２の足首に取付ける（図２参照。）。
（４）操作盤９を操作して、傾斜機構５を作動させ、台３を所望の傾斜角度まで傾斜させて停止させる（図５、図６参照。）。
（５）更に操作盤９を操作して、回転機構６を作動させ、台３を回転させる。
（６）更に操作盤９を操作して、牽引駆動機構７を作動させ、使用者２の足首を牽引させる。
（７）所望の矯正が終了したら、操作盤９を再度操作して、回転機構６を停止させて台３の回転を停止させ、牽引駆動機構７を停止させて使用者２の足首の牽引運動を停止させる。
（８）操作盤９を操作して、傾斜させた台３を水平位置まで戻す。
（９）台３が水平位置まで戻ったら、脚保持具４９を使用者２の足首から取り外し、脚保持具４９を牽引駆動機構７のピストンロッド４７から取り外す。
（１０）各固定具３０〜３７による固定を解除し、使用者２を台３上から降ろす。
【００４４】
前記使用例において、（４）、（５）、（６）の工程は、任意の順番で行うことができる。また、（４）、（５）、（６）の工程のうち、一つ又は二つの工程を省略することもできる。また、操作盤９による操作は、使用者が自ら行うことも、他に操作者を用意してその操作者に操作させることもできる。また、予め身体矯正装置１が行う動作を設定しておき、（４）〜（８）の工程を自動で行うことができるようにしておくことも可能である。
【００４５】
（その他の実施形態）
前記実施形態に示す本発明の身体矯正装置はあくまで一例であって、各部材、機構の形状、構造、大きさ、数量等は、前記のものには限られず、任意とすることができる。従って、例えば、牽引駆動機構を二以上備えて、両手両足を一度に牽引させることも可能である。
【００４６】
本発明の身体矯正装置においては、回転機構、傾斜機構、牽引駆動機構のうち、一つ又は二つを省略することもできる。従って、例えば、牽引駆動機構を省略し、台の傾斜及び回転のみを行うことができる身体矯正装置とすることもできる。
【産業上の利用可能性】
【００４７】
本発明の身体矯正装置は、身体の捩れや歪みの矯正用の装置には限られず、医科歯科治療用の寝台等、人間を仰臥させて使用する装置にも広く応用することができる。
【図面の簡単な説明】
【００４８】
【図１】本発明の身体矯正装置の実施形態の一例を示す正面図。
【図２】図１に示す身体矯正装置の平面図。
【図３】図１に示す身体矯正装置の未使用状態の平面図。
【図４】図１に示す身体矯正装置の右側面図。
【図５】図１に示す身体矯正装置の台を傾斜（傾斜角度約２０度）させた様子を示す正面図。
【図６】図１に示す身体矯正装置の台を傾斜（傾斜角度約４５度）させた様子を示す正面図。
【図７】本発明の身体矯正装置の固定具の他の一例を示す平面図。
【符号の説明】
【００４９】
１  身体矯正装置
２  使用者
３  台
４  フレーム
５  傾斜機構
６  回転機構
７  牽引駆動機構
８  制御盤
９  操作盤
１１  基台
１２  ベース枠
１３  台支持枠
１７  軸
１８  伸縮機構（傾斜機構）
２４  旋回輪
２５  ターンテーブル
２６  旋回輪軸受
３０〜３７  固定具
４６  伸縮機構（牽引駆動機構）
４９  脚保持具